(57)【要約】【課題】容易にシャッター収納部に取付け可能であるとともに、シャッターカーテン開閉時の接触音を抑制したシャッターカーテンの案内構造及び案内部材を提供し、取付け施工性の向上、接触音の低減を図る。【解決手段】シャッター収納部１とガイドレール７との連結部分に設けられ、シャッターカーテンの出入りを案内するシャッターカーテンの案内構造であって、シャッター収納部１の側部を構成するブラケット３と、ブラケット３に取付けられガイドレール７の上端７ａを挿入する嵌入部２７を有するとともに、シャッターカーテンの表裏面に対面し相互の間隔がガイドレール７に向かって徐々に狭められてガイドレール７のカーテン保持間隔ｄと略一致する一対の湾曲ガイド片１９，２１とを有した案内部材５とを具備し、案内部材５の少なくとも湾曲ガイド片１９，２１を合成樹脂により形成した。【選択図】      図１
2004232399.tif 000002
【特許請求の範囲】
【請求項１】
シャッター収納部とガイドレールとの連結部分に設けられ、シャッターカーテンの出入りを案内するシャッターカーテンの案内構造であって、
シャッター収納部の側部を構成するブラケットと、
該ブラケットに取り付けられ前記ガイドレールの上端を挿入する嵌入部を有するとともに、前記シャッターカーテンの表裏面に対面し相互の間隔が前記ガイドレールに向かって徐々に狭められて前記ガイドレールのカーテン保持間隔と略一致する一対の湾曲ガイド片とを有した案内部材とを具備し、
前記案内部材の少なくとも前記湾曲ガイド片が合成樹脂からなることを特徴とするシャッターカーテンの案内構造。
【請求項２】
請求項１記載のシャッターカーテンの案内構造であって、
前記ブラケットが、前記シャッターカーテンを挟んで該シャッターカーテンの一面側となる一方の水平片と、該シャッターカーテンの他面側となる他方の水平片とを備え、
該他方の水平片には垂直な起立片が立設され、
前記シャッターカーテンの一面側となる前記案内部材の一端部には前記一方の水平片に係止する爪部が設けられ、
前記シャッターカーテンの他面側となる前記案内部材の他端部には、前記起立片が挿入される溝が設けられ、
前記案内部材の他端部と、前記溝に挿入された前記起立片とが、固定手段によって固定されることを特徴とするシャッターカーテンの案内構造。
【請求項３】
前記請求項２記載のシャッターカーテンの案内構造であって、
前記起立片には透孔が穿設され、
前記案内部材の他端部には前記溝に挿入された前記起立片の透孔近傍を表出させる切欠が形成されるとともに、前記透孔と一致する貫通孔が設けられ、
前記案内部材の他端部と、前記溝に挿入された前記起立片とが、前記切欠から前記透孔と前記貫通孔とに貫通する固定手段によって固定されることを特徴とするシャッターカーテンの案内構造。
【請求項４】
シャッター収納部とガイドレールとの連結部分に設けられ、シャッターカーテンの出入りを案内する案内部材であって、
シャッター収納部の側部を構成するブラケットに取り付けるための取付手段と、
ガイドレールの上端を挿入する嵌入部と、
シャッターカーテンの表裏面に対面し相互の間隔が前記ガイドレールに向かって徐々に狭められて該ガイドレールのカーテン保持間隔と略一致する一対の湾曲ガイド片と、
を具備し、
少なくとも前記湾曲ガイド片が合成樹脂からなることを特徴とする案内部材。
【請求項５】
請求項４記載の案内部材であって、
前記嵌入部の対面する一対の内壁面が前記ガイドレールの挿入方向に向けて徐々に狭められるテーパ面で形成されるとともに、挿入先端における幅が前記ガイドレールの幅と略一致することを特徴とする案内部材。
【発明の詳細な説明】
【０００１】
【発明の属する技術分野】
本発明は、シャッター収納部とガイドレールとの連結部分に設けられ、シャッターカーテンの出入りを案内するシャッターカーテンの案内構造及び案内部材に関する。
【０００２】
【従来の技術】
シャッターカーテンが出入りするシャッター収納部のいわゆる呑み込み部には、シャッターカーテンの移動をガイドレールへとスムースに案内するための案内部材が設けられている。
従来、この案内部材としては、ガイドレールと一体に形成されるものがあり、このガイドレール一体構造のものは、現場にてガイドレールの上端部を切削加工したり潰すなどの変形加工により形成されていた。
【０００３】
また、下記特許文献１には金属板の折曲成形品よりなるシャッターの案内装置が開示されている。このシャッターの案内装置は、シャッターボックス底部のアングルに固定される基部を有し、この基部にはガイドレールの上縁を嵌合する凹部が設けられ、レールの上端は凹部上方の折曲部に係止するようになっている。また、折曲部からは、平板で円弧状に湾曲された案内部が設けられ、この案内部に沿ってシャッターカーテンが案内されるようになっており、この案内部には、プレス加工によって断面円弧状のリブが周面上に縦長に突設され、シャッターカーテン案内時における抵抗及び摩擦が減少されるようになっていた。
【０００４】
【特許文献１】
実公平５−３９１９３号公報
【０００５】
【発明が解決しようとする課題】
しかしながら、上記したガイドレール一体構造の案内部材は、既製のガイドレールをさらに加工するなど手間がかかるとともに、現場加工が必要となるため、組付け施工性を低下させることとなった。
【０００６】
また、上記特許文献１に開示されるシャッターの案内装置は、ガイドレールの挿入のみで、ガイドレールとの接続が完了するようになされているが、金属板の折曲成形品よりなるため、シャッターカーテンの開閉時に接触音が発生し、開閉音が増大するおそれがあった。また、シャッターボックスに対しての特に良好な取り付け構造は有しておらず、複数の固定手段を介して、位置決めしながらブラケットへ固定しなければならないため、これによっても施工性を低下させることになった。
【０００７】
本発明は上記状況に鑑みてなされたもので、容易にシャッター収納部に取り付け可能であるとともに、シャッターカーテン開閉時の接触音を抑制したシャッターカーテンの案内構造及び案内部材を提供し、取り付け施工性の向上、接触音の低減を図ることを目的とする。
【０００８】
【課題を解決するための手段】
次に、上記の課題を解決するための手段を、実施の形態に対応する図面を参照して説明する。
この発明の請求項１記載のシャッターカーテンの案内構造は、シャッター収納部１とガイドレール７との連結部分に設けられ、シャッターカーテンの出入りを案内するシャッターカーテンの案内構造であって、
シャッター収納部１の側部を構成するブラケット３と、
該ブラケット３に取り付けられ前記ガイドレール７の上端７ａを挿入する嵌入部２７を有するとともに、前記シャッターカーテンの表裏面に対面し相互の間隔が前記ガイドレール７に向かって徐々に狭められて前記ガイドレール７のカーテン保持間隔ｄと略一致する一対の湾曲ガイド片１９，２１とを有した案内部材５とを具備し、
前記案内部材５の少なくとも前記湾曲ガイド片が合成樹脂からなることを特徴とする。
【０００９】
このシャッターカーテンの案内構造では、シャッター収納部１を構成するブラケット３に、嵌入部２７と一対の湾曲ガイド片１９，２１とを有する案内部材５が取り付けられ、この案内部材５の少なくとも湾曲ガイド片１９，２１が合成樹脂からなっている。したがって、案内部材５がブラケット３を介してシャッター収納部１に容易に取り付け可能になるとともに、開閉時にシャッターカーテンが案内部材５に接触しても、スチール製のものに比べて接触音が小さくなる。
【００１０】
請求項２記載のシャッターカーテンの案内構造は、請求項１記載のシャッターカーテンの案内構造であって、
前記ブラケット３が、前記シャッターカーテンを挟んで該シャッターカーテンの一面側となる一方の水平片９と、該シャッターカーテンの他面側となる他方の水平片１１とを備え、
該他方の水平片１１には垂直な起立片１７が立設され、
前記シャッターカーテンの一面側となる前記案内部材５の一端部５ａには前記一方の水平片９に係止する爪部３３が設けられ、
前記シャッターカーテンの他面側となる前記案内部材５の他端部５ｂには、前記起立片１７が挿入される溝３５が設けられ、
前記案内部材５の他端部５ｂと、前記溝３５に挿入された前記起立片１７とが、固定手段４９によって固定されることを特徴とする。
【００１１】
このシャッターカーテンの案内構造では、案内部材５の爪部３３を一方の水平片９に係止し、案内部材５の溝３５に、他方の水平片１１の起立片１７を挿入し、この起立片１７と他端部５ｂとを例えばリベットやビスなどの固定手段４９にて固定することで、案内部材５の水平方向、垂直方向の移動が規制される。
【００１２】
請求項３記載の案内部材は、前記請求項２記載のシャッターカーテンの案内構造であって、
前記起立片１７には透孔１５が穿設され、
前記案内部材５の他端部５ｂには前記溝３５に挿入された前記起立片１７の透孔近傍を表出させる切欠３７が形成されるとともに、前記透孔１５と一致する貫通孔３９が設けられ、
前記案内部材５の他端部５ｂと、前記溝３５に挿入された前記起立片１７とが、前記切欠３７から前記透孔１５と前記貫通孔３９とに貫通する固定手段４９によって固定されることを特徴とする。
【００１３】
このシャッターカーテンの案内構造では、案内部材５の爪部３３を一方の水平片９に係止し、案内部材５の溝３５に、他方の水平片１１の起立片１７を挿入し、この起立片１７と貫通孔３９とを例えばビスやリベットなどの固定手段４９にて固定することで、案内部材５の水平方向、垂直方向の移動が規制されて取り付けられる。
【００１４】
請求項４記載の案内部材は、シャッター収納部１とガイドレール７との連結部分に設けられ、シャッターカーテンの出入りを案内する案内部材５であって、
シャッター収納部１の側部を構成するブラケット３に取り付けるための取付手段と、
ガイドレール１の上端７ａを挿入する嵌入部２７と、
シャッターカーテンの表裏面に対面し相互の間隔が前記ガイドレール７に向かって徐々に狭められて前記ガイドレール７のカーテン保持間隔ｄと略一致する一対の湾曲ガイド片１９，２１と、
を具備し、
少なくとも前記湾曲ガイド片１９，２１が合成樹脂からなることを特徴とする。
【００１５】
この案内部材５では、取付手段を介してブラケット３に取り付けられ、シャッター収納部１に容易に取り付けできるとともに、開閉時にシャッターカーテンが案内部材に接触しても少なくとも湾曲ガイド片１９，２１が合成樹脂からなることでスチール製のものに比べて接触音が小さくなる。
【００１６】
請求項５記載の案内部材５は、請求項４記載の案内部材５であって、
前記嵌入部２７の対面する一対の内壁面２９が前記ガイドレール７の挿入方向に向けて徐々に狭められるテーパ面で形成されるとともに、挿入先端における幅Ｔが前記ガイドレールの幅Ｇと略一致することを特徴とする。
【００１７】
この案内部材５では、シャッター収納部１に取り付けられた後の案内部材５に、ガイドレール７の上端７ａが下方から嵌入部２７に挿入されると、ガイドレール７はテーパ面に沿って嵌入部２７の中央部に徐々に移動され、上端７ａが完全に嵌入部２７に挿入された状態で、中心が嵌入部２７の中心に一致するよう位置決めされる。
【００１８】
【発明の実施の形態】
以下、本発明に係るシャッターカーテンの案内構造及び案内部材の好適な実施の形態を図面を参照して詳細に説明する。
図１は本発明に係る案内構造の分解斜視図、図２は図１に示した案内部材の拡大斜視図、図３は図２のＡ矢視図、図４は図２のＢ矢視図、図５は図２のＣ矢視図、図６は図２のＤ矢視図、図７は図２のＥ矢視図、図８は図２に示した案内部材の変形例を表す斜視図である。
【００１９】
本実施の形態によるシャッターカーテンの案内構造は、シャッター収納部１の側部を構成するブラケット３に、案内部材５を取り付け、この案内部材５に、ガイドレール７の上端７ａを下方から挿入してなる。つまり、案内部材５が、シャッター収納部１の呑み込み部におけるシャッター収納部１とガイドレール７との連結部分に取り付けられた構造となっている。
したがって、シャッター収納部１から巻き出される図示しないシャッターカーテンは、その側縁部分をこの案内部材５によってガイドレール７へと案内されることとなる。
【００２０】
まず、案内部材５が取り付けられるシャッター収納部１のブラケット３について説明する。
ブラケット３は、シャッター収納部１の側部を構成し、建物外壁に固設される板状部材である。このブラケット３の下縁部分には、図１に示すように、シャッターカーテンを挟んで、このシャッターカーテンの一面側となる一方の水平片９と、このシャッターカーテンの他面側となる他方の水平片１１とを備えている。つまり、その間隙１３に、シャッターカーテンの側縁が配置される。他方の水平片１１には、透孔１５を有する垂直な起立片１７が立設されている。また、この起立片１７が形成された他方の水平片１１には、例えば図示しないまぐさが載置される。
【００２１】
案内部材５は、ポリエチレン樹脂などの合成樹脂からなり、後述する各部位が一体成形されている。
案内部材５は、図２に示すように、一対の湾曲ガイド片１９，２１を有している。湾曲ガイド片１９，２１は、シャッターカーテンの表裏面に対面し、相互の間隔が下方向に向かって徐々に狭められて、ガイドレール７のカーテン保持間隔ｄと略一致するようになっている。ここで、カーテン保持間隔ｄとは、ガイドレール７の対向溝２３，２３の内側に取り付けられた縦方向の消音帯２５，２５同士の間隔ｄを言う。また、ガイドレール７は、図示しない建物開口部に設けられる枠材である外枠４７に固定される。
【００２２】
図３，図５に示すように、案内部材５の下面側には、ガイドレール７の上端７ａを挿入する嵌入部２７が形成されている。ガイドレール７は、矩形状の断面形状であり、この嵌入部２７も同様の矩形状に形成されて案内部材５の下面に開口する。
【００２３】
この嵌入部２７は、図３に示すように、対面する一対の内壁面２９，２９が、ガイドレール７の挿入方向、すなわち上方向に向けて徐々に狭められるテーパ面で形成されている。テーパ面となった嵌入部２７の最奥部である挿入先端における幅Ｔは、ガイドレール７の幅Ｇと略一致している。
なお、嵌入部２７の挿入先端には天板部３０が形成され、天板部３０は挿入されたガイドレール７の上端７ａに当接してそれ以上の挿入を規制する。
【００２４】
このように、テーパ面の嵌入部２７が形成された案内部材５では、ガイドレール７の上端７ａが下方から嵌入部２７に挿入されると、ガイドレール７はテーパ面である内壁面２９，２９に沿って嵌入部２７の中央部に徐々に移動され、上端７ａが天板部３０に当接して完全に挿入された状態で、中心が嵌入部２７の中心に一致するよう位置決めされる。
【００２５】
案内部材５には、シャッター収納部１のブラケット３に取り付けるための取付手段が設けられている。取付手段は、爪部３３と、溝３５と、切欠３７と、貫通孔３９とからなる。
【００２６】
爪部３３は、図３，図６に示すように、シャッターカーテンの一面側となる案内部材５の一端部５ａに設けられ、一方の水平片９の一辺部４１（図１参照）の周縁に係止するようになっている。
溝３５は、図２，図３に示すように、シャッターカーテンの他面側となる案内部材５の他端部５ｂに設けられ、起立片１７が挿入されるようになっている。
切欠３７は、図２，図７に示すように、案内部材５の他端部５ｂに設けられ、溝３５に挿入された起立片１７の透孔１５近傍を表出させるように、溝３５の内部を開口させている。
貫通孔３９は、図７に示すように、案内部材５の他端部５ｂに穿設され、溝３５に挿入された起立片１７の透孔１５と一致するようになっている。
【００２７】
湾曲ガイド片１９，２１の対向面には、湾曲方向に延在する平行な一対の略ヒレ状の消音板４３，４３が設けられている。この消音板４３，４３は、案内部材５に対してガイドレール７が位置決めされると、ガイドレール７の消音帯２５，２５と略連続するようになっている。
【００２８】
案内部材５の一端部５ａと他端部５ｂとは、台形状の連結壁４５によって連結されている。この連結壁４５は、案内部材５がブラケット３に取り付けられると、シャッター収納部１の内壁面に当接し、案内部材５を安定固定するようになっている。
【００２９】
次に、上記した構成からなる案内構造の作用を説明する。
図９はガイドレールと案内部材との分解斜視図、図１０はガイドレールの平面視を（ａ）、側面視を（ｂ）に示した側面図、図１１は案内部材が取り付けられたシャッター収納部の側面図、図１２は図１１のＦ矢視図である。
【００３０】
シャッターカーテンの案内構造は、まず、案内部材５が、図１に示したシャッター収納部１のブラケット３に取り付けられる。すなわち、一方の水平片９に、案内部材５の一端部５ａを載置するとともに、案内部材５の他端部５ｂに形成した溝３５に、他方の水平片１１の起立片１７を挿入し、これと同時に、爪部３３で一方の水平片９に係止する。
【００３１】
次いで、案内部材５の切欠３７に表出した起立片１７の透孔１５に、固定手段である例えばリベット或いはビス４９（図１１参照）を挿入し、起立片１７と貫通孔３９とをこのビス４９で固定する。これにより、案内部材５は、水平方向及び上下方向の移動が、爪部３３，起立片１７，ビス４９によって規制される。
【００３２】
図９に示すように、このようにしてシャッター収納部１に取り付けられた案内部材５には、下方よりガイドレール７が挿入される。図９，図１０に示すように、ガイドレール７には外枠４７が取り付けられる。
【００３３】
ガイドレール７は、上方向に移動されることで、案内部材５の嵌入部２７に、下方から挿入される。嵌入部２７に挿入された案内部材５は、嵌入部２７のテーパ面により位置規制され、嵌入部２７の挿入先端部に挿入が完了した状態で、案内部材５に対し、所定の位置に位置決めされる。
【００３４】
この状態で、ガイドレール７は、外枠２７が建物側などに固定される。これにより、図１１に示すように、シャッター収納部１に対して案内部材５が位置決めされ、案内部材５に対してガイドレール７が位置決めされることで、シャッターカーテンとガイドレール７との相対位置が正規に位置決めされることとなる。
【００３５】
このようにして位置決めされたシャッターカーテンの案内構造では、湾曲ガイド片１９，２１の消音板４３，４３と、ガイドレール７の消音帯２５，２５とが図１１，図１２に示すように、連続して連結される。
【００３６】
したがって、上記のシャッターカーテンの案内構造によれば、シャッター収納部１を構成するブラケット３に、嵌入部２７と一対の湾曲ガイド片１９，２１とを有する案内部材５が取り付けられ、この案内部材５が合成樹脂からなっているので、案内部材５がブラケット３を介してシャッター収納部１に容易に取り付け可能になるとともに、開閉時にシャッターカーテンが案内部材５に接触しても、スチール製のものに比べて接触音が小さくなる。
【００３７】
また、案内部材５の溝３５に、他方の水平片１１の起立片１７を挿入し、案内部材５の爪部３３を一方の水平片９に係止し、この起立片１７と貫通孔３９とを一本の固定手段である例えばビス４９にて固定することで、案内部材５の水平方向、垂直方向の移動を、容易に、しかも確実に規制することができる。
【００３８】
なお、上述した実施の形態では、湾曲ガイド片１９，２１に形成される消音板４３，４３を、湾曲方向の全長に亘って形成しているが、例えば図８に示すように、湾曲方向略中央部から上方を省略してもよく、ガイドレール７の消音帯２５，２５に徐々に連続するような構成としてもよい。
【００３９】
また、上述した実施の形態では、湾曲ガイド片１９，２１に略ヒレ状の一対の消音板４３，４３を形成した構成としたが、この湾曲ガイド片１９，２１は、その他の形状の消音板や、中空状の構造などとしても良く、ガイドレール７に取り付けられる消音帯の形状に合せた形状が好ましい。
【００４０】
【発明の効果】
以上説明したように、本発明に係る請求項１記載のシャッターカーテンの案内構造によれば、シャッター収納部を構成するブラケットに、嵌入部と一対の湾曲ガイド片とを有する案内部材が取り付けられ、この案内部材の少なくとも湾曲ガイド片が合成樹脂からなるので、案内部材がブラケットを介してシャッター収納部に容易に取り付けられるとともに、開閉時にシャッターカーテンが案内部材に接触してもスチール製のものに比べて接触音が小さくなる。この結果、案内部材の取り付け施工性を向上させ、接触音を低減することができる。
【００４１】
請求項２記載のシャッターカーテンの案内構造によれば、ブラケットが一方の水平片と他方の水平片とを備え、他方の水平片には起立片が立設され、案内部材の一端部には、一方の水平片に係止する爪部が設けられ、案内部材の他端部には、起立片が挿入される溝が設けられ、案内部材の他端部と、挿入溝に挿入された起立片とが、固定手段によって固定されるので、溝に起立片を挿入し、爪部を係止し、一本の固定手段である例えばビスやリベットにて固定することで、案内部材の水平方向、垂直方向の移動が規制される。この結果、案内部材を容易かつ確実にブラケットへ固定することができる。
【００４２】
請求項３記載のシャッターカーテンの案内構造によれば、案内部材の溝に、他方の水平片の起立片を挿入し、案内部材の爪部を一方の水平片に係止し、この起立片と貫通孔とを例えばビスやリベットなどの固定手段にて固定することで、案内部材の水平方向、垂直方向の移動が規制されて取り付けられ、特に透孔と貫通孔とが切欠から位置合せ等行え、かつ固定手段による固定を容易とし、施工性を向上させることができる。
【００４３】
請求項４記載の案内部材によれば、取付手段を介してブラケットに取り付けられ、シャッター収納部に容易に取り付けできるとともに、開閉時にシャッターカーテンが案内部材に接触しても少なくとも湾曲ガイド片が合成樹脂からなることでスチール製のものに比べて接触音が小さくなる。この結果、取り付け施工性を向上させ、接触音を低減することができる。
【００４４】
請求項５記載の案内部材によれば、嵌入部の対面する一対の内壁面がガイドレールの挿入方向に向けて徐々に狭められるテーパ面で形成されるとともに、挿入先端における幅がガイドレールの幅と略一致するので、シャッター収納部に取り付けられた後の案内部材に、ガイドレールの上端が下方から嵌入部に挿入されると、ガイドレールはテーパ面に沿って嵌入部の中央部に徐々に移動され、上端が完全に嵌入部に挿入された状態で、中心が嵌入部の中心に一致するよう位置決めされる。この結果、ガイドレールを嵌入部に挿入するのみの容易な作業で、位置決め施工できる。
【図面の簡単な説明】
【図１】本発明に係る案内構造の分解斜視図である。
【図２】図１に示した案内部材の拡大斜視図である。
【図３】図２のＡ矢視図である。
【図４】図２のＢ矢視図である。
【図５】図２のＣ矢視図である。
【図６】図２のＤ矢視図である。
【図７】図２のＥ矢視図である。
【図８】図２に示した案内部材の変形例を表す斜視図である。
【図９】ガイドレールと案内部材との分解斜視図である。
【図１０】ガイドレールの平面視を（ａ）、側面視を（ｂ）に示した側面図である。
【図１１】案内部材が取り付けられたシャッター収納部呑み込み部の側面図である。
【図１２】図１１のＦ矢視図である。
【符号の説明】
１…シャッター収納部
３…ブラケット
５…案内部材
７…ガイドレール
７ａ…ガイドレールの上端
９…一方の水平片
１１…他方の水平片
１５…透孔
１７…起立片
１９，２１…湾曲ガイド片
２７…嵌入部
２９…内壁面
３３…取付手段（爪部）
３５…取付手段（溝）
３７…取付手段（切欠）
３９…取付手段（貫通孔）
４９…固定手段（ビス）
ｄ…カーテン保持間隔
Ｇ…ガイドレールの幅
Ｔ…挿入先端における幅
【図１】
2004232399.tif 000003
【図２】
2004232399.tif 000004
【図３】
2004232399.tif 000005
【図４】
2004232399.tif 000006
【図５】
2004232399.tif 000007
【図６】
2004232399.tif 000008
【図７】
2004232399.tif 000009
【図８】
2004232399.tif 000010
【図９】
2004232399.tif 000011
【図１０】
2004232399.tif 000012
【図１１】
2004232399.tif 000013
【図１２】
2004232399.tif 000014